(57)【特許請求の範囲】
【請求項１】
底面を構成する底板(３)と、該底板(３)上に載置されるキャビネット半体(２)から構成されるキャビネット(１)を具え、
キャビネット半体(２)に上面が開口した挿入穴(20)を開設し、底板(３)に、キャビネット(１)外部から挿入穴(20)に進入した液体を外部に流す排出孔(31)を設け、キャビネット(１)の底面にラベルが付される表示面(６)を設け、
排出孔(31)は表示面(６)から離間して開設され、該挿入穴(20)の底面と排出孔(31)間に、挿入穴(20)に進入した液体を排出孔(31)に流すガイド面(30)を設け、
底板(３)とキャビネット半体(２)はビス(11)止めされて締結され、該ビス(11)は排出孔(31)に余裕を持って嵌まり、キャビネット半体(２)に螺合することを特徴とする電気機器。
【請求項２】
挿入穴(20)の底面には、内部に流し孔(22)を開設した軸体(26)が設けられ、該軸体(26)はキャビネット(１)内に配備された回路基板(４)を貫通してガイド面(30)に対向した請求項１に記載の電気機器。
【発明の詳細な説明】
【０００１】
【発明の属する技術分野】
本発明は、携帯電話の充電器のような卓上用電気機器に関する。
【０００２】
【従来の技術】
携帯電話の充電器等の卓上用電気機器にあっては、使用者が誤って机上に置かれたジュース等の飲み物を電気機器に零す場合がある。零した飲み物が電気機器内に溜まっていては、通電時にショートするから、内部に誤って侵入した液体を外部に排出する構成が採用されている。
図４は、従来の電気機器の側面断面図である。これは、底板(３)と該底板(３)に載置されるキャビネット半体(２)をビス止めして、キャビネット(１)を構成する。キャビネット半体(２)には上面が開口した挿入穴(20)が開設され、該挿入穴(20)に携帯電話本体(５)が嵌まる。該挿入穴(20)の下端部側面には、携帯電話に電気的に接する端子(図示せず)が嵌まる長孔(28)が開設され、該長孔(28)の下方に回路基板(４)が配備される。挿入穴(20)の側方には、ビス(11)が螺合するボス(24)が設けられている。
【０００３】
底板(３)には机面(７)に接する脚片(34)(34)が設けられ、机面(７)と底板(３)との間に隙間を形成する。底板(３)にはビス(11)が貫通する孔(35)と、挿入穴(20)に誤って入った液体を外部に流す排出孔(31)とが開設されている。
底板(３)とキャビネット半体(２)をビス(11)にて締結するには、底板(３)の下方からビス(11)を挿入する。ビス(11)は回路基板(４)に開設された透孔(42)を通ってボス(24)に螺合する。
使用者が誤って零した液体が、挿入穴(20)に誤って入ると、該液体は長孔(28)から回路基板(４)を伝って、底板(３)上に溜まった後に、排出孔(31)から流れる。
【０００４】
【発明が解決しようとする課題】
従来の電気機器にあっては、液体が底板(３)上に溜まってから排出孔(31)から流れる。従って、液体を積極的にキャビネット(１)外部に排出しない。
この場合、排出孔(31)を大きく設ければ、底板(３)上に溜まった液体を素早く排出できる。しかし、後記するように、斯種電気機器にあっては、該機器の製造業者名、使用上の留意点を表した定格を記載したラベル(60)をキャビネット(１)の底面に貼る必要があり、排出孔(31)を大きく設けても、ラベル(60)にて塞がれる虞れがある。
本発明の目的は、キャビネット上にラベルを貼る面積を確保しつつ、キャビネット内に進入した液体を素早く排出する点にある。
【０００５】
【課題を解決する為の手段】
底面を構成する底板(３)と、該底板(３)上に載置されるキャビネット半体(２)から構成されるキャビネット(１)を具え、
キャビネット半体(２)に上面が開口した挿入穴(20)を開設し、底板(３)に、キャビネット(１)外部から挿入穴(20)に進入した液体を外部に流す排出孔(31)を設け、キャビネット(１)の底面にラベルが付される表示面(６)を設け、
排出孔(31)は表示面(６)から離間して開設され、該挿入穴(20)の底面と排出孔(31)間に、挿入穴(20)に進入した液体を排出孔(31)に流すガイド面(30)を設け、
底板(３)とキャビネット半体(２)はビス(11)止めされて締結され、該ビス(11)は排出孔(31)に余裕を持って嵌まり、キャビネット半体(２)に螺合する。
【０００６】
【作用及び効果】
挿入穴(20)に進入した液体は、ガイド面(30)を伝ってキャビネット(１)の底面に開設された排出孔(31)に流れる。ガイド面(30)は挿入穴(20)内の液体を強制的に排出孔(31)に流すから、キャビネット(１)内に液体が溜まる虞れはなく、該機器の電気的誤動作を防止できる。
また、排出孔(31)はラベルが付される表示面(６)から離間して開設されているので、排出孔(31)がラベルに塞がれることはない。
【０００７】
【発明の実施の形態】
以下、本発明の一例を図を用いて詳述する。
図１は、電気機器の全体斜視図であり、机面に載置される携帯電話の充電器を例示する。キャビネット(１)には、上面が開口した挿入穴(20)が開設され、該挿入穴(20)に携帯電話本体(５)が挿入される。挿入穴(20)の底面(21)は机面に対して傾斜しており、携帯電話本体(５)を傾けて支持することにより、携帯電話本体(５)のディスプレイ(50)を使用者に向けている。該底面(21)には、端子(23)(23)が設けられ、キャビネット(１)から延びた電源コード(10)から端子(23)(23)を介して携帯電話本体(５)に給電される。底面(21)上にて、端子(23)(23)よりも下側には流し孔(22)を開設した軸体(26)(図２参照)が設けられている。
【０００８】
図２は、図１のキャビネット(１)をＡ−Ａ線を含む面にて破断した側面断面図である。キャビネット(１)は底板(３)と該底板(３)に載置されるキャビネット半体(２)をビス(11)止めして、キャビネット(１)を構成する。前記挿入穴(20)はキャビネット半体(２)に開設される。
該挿入穴(20)の下方に回路基板(４)が配備され、挿入穴(20)の側方には、ビス(11)が螺合するボス(24)が設けられている。回路基板(４)には流し孔(22)に重なる第１孔(40)及びボス(24)に重なる第２孔(41)が開設されている。
【０００９】
底板(３)には第１孔(40)に対向し、机面に対して傾いたガイド面(30)が形成され、底板(３)上にてガイド面(30)の下方には排出孔(31)が開設されている。排出孔(31)はビス(11)の軸部が余裕を持って嵌まる大きさに開設され、底板(３)上にて排出孔(31)の側方には表示面(６)が浅く凹んで設けられている。従来と同様に、底板(３)には机面(７)に接する脚片(34)(34)が設けられ、机面(７)と底板(３)との間に隙間を形成する。
図３は、底板(３)の底面図である。排出孔(31)は、ビス(11)が通る丸孔(32)と、長孔(33)を連ねて設けている。表示面(６)には、機器の製造業者名、使用上の留意点を表した定格、その他使用者への情報を記載したラベル(60)が貼られる。このラベル(60)は電気用品取締法２５条、２６条の６及び同法施行規則２４条に規定する内容を表示するものであり、使用者が見やすい大きさに設けられる必要がある。携帯電話の充電器のような小型の電気機器にあっては、表示面(６)が小さいから、表示面(６)内に排出孔(31)を設けると、表示面(６)のラベル(60)が見にくくなる。従って、排出孔(31)を表示面(６)から離れた箇所に設け、ラベル(60)を貼る面積を十分な大きさとしている。
【００１０】
使用者が誤って零した液体が、挿入穴(20)内に入ると、図２の流し孔(22)及び回路基板(４)の第１孔(40)からガイド面(30)を伝って下向きに流れ、排出孔(31)からキャビネット(１)の外に排出される。即ち、ガイド面(30)を設けていることにより、挿入穴(20)内に入った液体は、確実に排出孔(31)に流れて素早く排出され、キャビネット(１)内に溜まらない。また、液体は回路基板(４)上を濡らさないから、回路基板(４)上の部品をショートさせる虞れがない。
尚、機器のキャビネット(１)内には、携帯電話本体(５)に接する端子(23)(23)が設けられているとしたが、端子(23)(23)を設けずに、電磁誘導によって携帯電話本体(５)を充電する機器であってもよい。
また、キャビネット半体(２)に挿入穴(20)に連続し、且つ開口をキャビネット半体(２)の外周面に向けた逃がし溝(図示せず)を設け、挿入穴(20)内に溜まった液体を外に流すことも考えられるが、見映えが悪い。従って、キャビネット(１)の下面から液体を逃がす構成としている。
また、図２にあっては軸体(26)が回路基板(４)の上に位置しているが、これに代えて該軸体(26)が回路基板(４)の第１孔(40)を貫通し、流し孔(22)をガイド面(30)に接近させてもよい。この場合、軸体(26)が第１孔(40)に嵌まるから、回路基板(４)の取付け位置がズレても、流し孔(22)から液体はガイド面(30)に確実に流れる。
【００１１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】電気機器の全体斜視図である。
【図２】図１のキャビネットをＡ−Ａ線を含む面にて破断した側面断面図である。
【図３】底板の底面図である。
【図４】従来の電気機器の側面断面図である。
【符号の説明】
(１)  キャビネット
(２)  キャビネット半体
(６)  表示面
(11)  ビス
(20)  挿入穴
(30)  ガイド面
(31)  排出孔
【図１】
0003806569.tif 000002
【図２】
0003806569.tif 000003
【図３】
0003806569.tif 000004
【図４】
0003806569.tif 000005